(57)【要約】【課題】屋外の風を有効利用して給気量を多く確保することができる給気部構造を提供する。また、屋外の風をうまく避けながら、多くの排気量を確保することができる排気部構造を提供する。【解決手段】給気部構造について、給気口２に、給気フード３が、そのフード口３ａの向きを変化させることができるように回転可能に保持されると共に、該給気フード３に翼８が連結され、翼８に対する外気の風力で給気フード３が回転し、フード口３ａが風Ｗに正対する方向を向くようになされている。また、給気フード３の口３ａが、屋外無風状態において、最大給気量を確保することのできる向きに保持されるように、給気フード３を付勢するバネ９が備えられている。【選択図】      図１
2006084153.tif 000002
【特許請求の範囲】
【請求項１】
給気口において、給気フードが、そのフード口の向きを変化させることができるように回転可能に保持されると共に、該給気フードに翼が連結され、翼に対する外気の風力で給気フードが回転し、フード口が風に正対する方向を向くようになされていることを特徴とする給気部構造。
【請求項２】
前記給気フードの口が、屋外無風状態において、最大給気量を確保することのできる向きに保持されるように、給気フードを付勢する付勢手段が備えられている請求項１に記載の給気部構造。
【請求項３】
排気口において、排気フードが、そのフード口の向きを変化させることができるように回転可能に保持されると共に、該排気フードに翼が連結され、翼に対する外気の風力で排気フードが回転し、フード口が風を避ける方向を向くようになされていることを特徴とする排気部構造。
【請求項４】
前記排気フードの口が、屋外無風状態において、最大排気量を確保することのできる向きに保持されるように、排気フードを付勢する付勢手段が備えられている請求項３に記載の排気部構造。
【発明の詳細な説明】
【技術分野】
【０００１】
本発明は、給気部構造及び排気部構造に関する。
【背景技術】
【０００２】
換気を目的として建物の外壁には給気口や排気口が設けられており、給気口を通じた給気量を多く確保し、排気口を通じた排気量を多く確保できるようにすることは、効率の良い換気を実現する上で非常に重要である。
【発明の開示】
【発明が解決しようとする課題】
【０００３】
本発明は、かかる背景において、屋外の風を有効利用して給気量を多く確保することができる給気部構造を提供することを課題とする。また、本発明は、屋外の風をうまく避けながら、多くの排気量を確保することができる排気部構造を提供することを課題とする。
【課題を解決するための手段】
【０００４】
上記の課題は、給気口において、給気フードが、そのフード口の向きを変化させることができるように回転自在に保持されると共に、該給気フードに翼が連結され、翼に対する外気の風力で給気フードが回転し、フード口が風に正対する方向を向くようになされていることを特徴とする給気部構造によって解決される。
【０００５】
この給気部構造では、屋外に風が吹いているとき、風の向きにかかわらず、翼の作用でフード口が風に正対する方向を向くようになされているので、風の力によって勢い良く給気され、給気量を多く確保することができる。
【０００６】
上記の給気部構造において、給気フードの口が、屋外無風状態において、最大給気量を確保することのできる向きに保持されるように、給気フードを付勢する付勢手段が備えられている場合は、屋外が無風状態であるか否かにかかわらず、給気量を多く確保することができる。
【０００７】
また、上記の課題は、排気口において、排気フードが、そのフード口の向きを変化させることができるように回転自在に保持されると共に、該排気フードに翼が連結され、翼に対する外気の風力で排気フードが回転し、フード口が風を避ける方向を向くようになされていることを特徴とする排気部構造によって解決される。
【０００８】
この排気部構造では、屋外に風が吹いているとき、翼の作用でフード口が風を避ける方向を向くようになされているので、排気が風の力によって妨げられることがなく、排気量を多く確保することができる。しかも、フード口は翼の作用で風の向きに追従するように風を避けながら向きを変えるので、必要以上に向きを変えることがなく、うまい具合に向きを変え、向き変えによる圧力損失を小さく抑えることができて、排気量を多く確保することができる。
【０００９】
また、上記の排気部構造において、排気フードの口が、屋外無風状態において、最大排気量を確保することのできる向きに保持されるように、排気フードを付勢する付勢手段が備えられている場合は、屋外が無風状態であるか否かにかかわらず、排気量を多く確保することができる。
【発明の効果】
【００１０】
本発明の給気部構造によれば、屋外の風を有効利用して給気量を多く確保することができる。また、本発明の排気部構造によれば、屋外の風をうまく避けながら、多くの排気量を確保することができる。
【発明を実施するための最良の形態】
【００１１】
次に、本発明の実施最良形態を図面に基づいて説明する。
【００１２】
図１及び図２に示す第１実施形態は、給気部構造についてのもので、図１（イ−１）において、１は建物の外壁であり、外壁１には給気口２が設けられ、該給気口２には、給気フード３がそのフード口３ａの向きを水平方向において変化させることができるように垂直線軸回りで回転可能に保持されている。１０はカバーである。
【００１３】
そして、給気フード３には、図１（イ−２）に示すように、第１，第２のピニオン４，５と片歯ラック６による連動機構７を介して、翼８が連結されており、翼８は、給気口２の近傍の屋外の風を受ける位置に垂直軸線回りで回転自在に設置され、図１（ロ−２）、図２（ハ−２）、図２（ニ−２）に示すように、屋外の風Ｗを翼８が受けて、翼８が風Ｗに平行に向くと、連動機構７によって給気フード３が必要に応じて回転することで、フード口３ａが風に正対するようになされている。
【００１４】
また、ラック６には、付勢手段としてのバネ９が連結され、屋外無風状態において、給気フード３のフード口３ａが、図１（イ−１）（イ−２）に示すように、最大給気量を確保できる正面側を向いて保持されるようになされている。
【００１５】
上記の給気部構造では、図１（ロ−１）（ロ−２）に示すように、屋外の風Ｗが正面側から吹くと、翼８はその風Ｗの方向と平行になって、給気フード３のフード口３ａが、風Ｗの向きと正対するように正面側に向き、風Ｗの力によって勢い良く給気され、給気量を多く確保することができる。
【００１６】
また、図２（ハ−１）（ハ−２）や図２（ニ−１）（ニ−２）に示すように、屋外の風Ｗが斜め方向から吹いた場合も、翼８はその風Ｗの方向と平行になって、給気フード３のフード口３ａが、風Ｗの向きと正対するように斜め方向に向き、風Ｗの力によって勢い良く給気され、給気量を多く確保することができる。
【００１７】
更に、図１（イ−１）（イ−２）に示すように、屋外無風状態では、バネ９の付勢力によって、給気フード３のフード口３ａは、正面側に向き、給気の際の圧力損失が最小に抑えられて給気量を多く確保することができる。
【００１８】
このように、上記の給気部構造によれば、屋外の風をその向きにかかわらず有効利用して給気量を多く確保することができ、しかも、無風状態のときも多くの給気量を確保することができて、屋外が無風状態であるか否かにかかわらず、給気量を多く確保することができる。
【００１９】
図３及び図４に示す第２実施形態は、排気口構造についてのもので、外壁１に排気口１２が設けられ、該排気口１２には、排気フード１３がそのフード口１３ａの向きを水平方向において変化させることができるように垂直線軸回りで回転可能に保持されている。
【００２０】
そして、排気フード１３には、図３（イ）（ロ）に示すように、第１，第２のピニオン４，５と両歯ラック１６による連動機構７を介して、翼８が連結されており、翼８は、排気口１２の近傍の屋外の風を受ける位置に垂直軸線回りで回転自在に設置され、図４（ハ−２）、図４（ニ−２）に示すように、屋外の風Ｗを翼８が受けて、翼８が風Ｗに平行に向くと、連動機構７によって排気フード１３が回転することで、フード口１３ａが風を避ける方向を向くようになされている。本実施形態では、ピニオン４，５が両歯ラック１６の異なる歯部に噛合されていることにより、左方から風Ｗが吹くとフード口１３ａは右方を向き、右方から風Ｗが吹くとフード口１３ａは左方を向くようになされている。
【００２１】
また、ラック１６には、付勢手段としてのバネ９が連結され、屋外無風状態において、排気フード１３のフード口１３ａが、図３（イ）（ロ）に示すように、最大排気量を確保できる正面側を向いて保持されるようになされている。
【００２２】
上記の排気部構造では、図４（ハ−１）（ハ−２）や図４（ニ−１）（ニ−２）に示すように、屋外の風Ｗが斜め方向から吹くと、翼８はその風Ｗの方向と平行になって、排気フード１３のフード口１３ａは、風Ｗの向きを避けた反斜め方向を向き、排気が風Ｗの力によって妨げられることがなく、排気量を多く確保することができる。しかも、フード口１３ａは翼８の作用で風Ｗの向きに追従するように風を避けながら向きを変えるので、必要以上に向きを変えることがなく、うまい具合に向きを変え、向き変えによる圧力損失を小さく抑えることができて、排気量を多く確保することができる。
【００２３】
また、図３（イ）（ロ）に示すように、屋外無風状態では、バネ９の付勢力によって、排気フード１３のフード口１３ａは、正面側に向き、排気の際の圧力損失が最小に抑えられて排気量を多く確保することができる。
【００２４】
このように、上記の給気部構造によれば、屋外の風をうまく避けながら、多くの排気量を確保することができ、しかも、無風状態のときも多くの排気量を確保することができて、屋外が無風状態であるか否かにかかわらず、排気量を多く確保することができる。
【００２５】
図５及び図６に示す第３実施形態は、排気口構造についてのもので、第１、第２のピニオン４，５を片歯ラック６に噛合させた連動機構７が用いられている。その他は、第２実施形態と略同様である。
【００２６】
本実施形態の排気口構造では、図５（ロ−１）（ロ−２）、図６（ハ−１）（ハ−２）、図６（ニ−１）（ニ−２）に示すように、屋外に風Ｗがあると、風Ｗの向きが斜め方向であろうと、正面側からであろうと、風向きに関わりなく、排気フード１３のフード口１３ａは、その風Ｗの方向に対して所定の一定角度を保ちながら風Ｗを避けていき、全方向の風に対して、排気量を多く確保することができる。
【００２７】
また、図５（イ−１）（イ−２）に示すように、屋外無風状態では、バネ９の付勢力によって、排気フード１３のフード口１３ａは、正面側に向き、排気の際の圧力損失が最小に抑えられて排気量を多く確保することができる点は、第２実施形態と同様である。
【００２８】
以上に、本発明の実施形態を示したが、本発明はこれに限られるものではなく、発明思想を逸脱しない範囲で各種の変更が可能である。例えば、上記の実施形態では、給気口２や排気口１２が外壁１に設けられている場合を示しているが、本発明の各構造は、給気口２、排気口１２の設けられる向きに制限はなく、種々の方向に向けられた給気口、排気口に適用することができるものであることはいうまでもない。
【００２９】
また、上記の実施形態では、フードと翼をラックアンドピニオンによる連動機構で連動させるようにした場合を示したが、他の連動機構が採用されてもよいし、連動機構を使用せずに翼をフードに直接取り付けるようにしてもよい。
【００３０】
更に、上記の実施形態では、フードを一軸回りで回転するように保持し、翼も風を受けて一軸回りで回転するように保持した場合を示しているが、フードを多軸回りで回転するように保持し、翼も風を受けて多軸回りで回転するように保持するようにしてもよく、その場合は、立体三次元方向の風に対して効果を発揮することができる。
【図面の簡単な説明】
【００３１】
【図１】図（イ−１）及び図（イ−２）はそれぞれ第１実施形態の給気部構造を示す断面平面図、平面図、図（ロ−１）（ロ−２）はそれぞれ該給気部構造の作動状態の一例を示す断面平面図、平面図である。
【図２】図の（ハ−１）（ハ−２）及び図の（ニ−１）（ニ−２）はそれぞれ、同給気部構造の作動状態の他の一例を示す断面平面図、平面図である。
【図３】図（イ）及び図（ロ）はそれぞれ、第２実施形態の排気部構造を示す断面平面図、平面図である。
【図４】図の（ハ−１）（ハ−２）及び図の（ニ−１）（ニ−２）はそれぞれ、同排気部構造の作動状態の例を示す断面平面図、平面図である。
【図５】図（イ−１）及び図（イ−２）はそれぞれ第３実施形態の排気部構造を示す断面平面図、平面図、図（ロ−１）（ロ−２）はそれぞれ該排気部構造の作動状態の一例を示す断面平面図、平面図である。
【図６】図の（ハ−１）（ハ−２）及び図の（ニ−１）（ニ−２）はそれぞれ、同排気部構造の作動状態の他の一例を示す断面平面図、平面図である。
【符号の説明】
【００３２】
２…給気口
３…給気フード
３ａ…フード口
８…翼
９…バネ（付勢手段）
１２…排気口
１３…排気フード
１３ａ…フード口
Ｗ…風
【図１】
2006084153.tif 000003
【図２】
2006084153.tif 000004
【図３】
2006084153.tif 000005
【図４】
2006084153.tif 000006
【図５】
2006084153.tif 000007
【図６】
2006084153.tif 000008